【手続補正書】
【提出日】平成24年8月23日(2012.8.23)
【手続補正１】
【補正対象書類名】特許請求の範囲
【補正対象項目名】全文
【補正方法】変更
【補正の内容】
【特許請求の範囲】
【請求項１】
少なくとも１つのブロックに関して、予測ステージパラメータを含む圧縮動画情報のフ
レームから再構成された隣接ブロック間の境界でブロッキングアーチファクトを低減させ
る方法であって、
前記予測ステージパラメータに基づき１つのブロックを再構成することと、
前記再構成ブロックから残差エラー属性を算出することと、
基準フィルタ強度と、少なくとも１つの増加値に基づいて、フィルタ強度値を算出する
ことと、ここで、前記増加値は、前記１つのブロックに関連した前記予測ステージパラメータまたは残差エラー属性との少なくとも１つに基づいて、複数のプリセット値から選択され、および
前記選択されたフィルタ強度値を用いて、前記１つのブロックに隣接する境界をフィル
タ処理することと
を含むことを特徴とする方法。
【請求項２】
前記予測段階パラメータは、参照フレームタイプまたは予測モードの少なくとも少なくとも１つを含むことを特徴とする請求項１に記載の方法。
【請求項３】
前記参照フレームタイプは、イントラフレーム、最終フレーム、ゴールデンフレーム、
および代替参照フレームのいずれかであることを特徴とする請求項２に記載の方法。
【請求項４】
前記予測モードは、非分割モードと分割モードのいずれかであることを特徴とする請求
項２に記載の方法。
【請求項５】
前記フィルタ強度値を算出することは、前記予測ステージパラメータと前記残差エラー属性の他方の１つに基づく前記複数のプリセット値から選択された第２の増加値に基づいて、前記フィルタ強度値を算出することをさらに含むことを特徴とする請求項１〜４に記載の方法。
【請求項６】
前記残差エラー属性は、ヌル動きベクトルと非ゼロ動きベクトルのいずれかであること
を特徴とする請求項５に記載の方法。
【請求項７】
前記複数のプリセット値は、フレームレベルで求められることを特徴とする請求項１〜
４記載の方法。
【請求項８】
復号されている前記フレームが、キーフレームであるか否か判断することをさらに含み、
復号されている前記フレームがキーフレームである場合、前記増加値が、ディフォルト値
に設定されることを特徴とする請求項７に記載の方法。
【請求項９】
復号されている前記フレームが、フィルタ強度値条件を特定するか否か判断することと、および
復号されている前記フレームがフィルタ強度値条件を特定する場合、特定されたフィルタ強度値を前記複数のプリセット値に割り当てることをさらに含むことを特徴
とする請求項７に記載の方法。
【請求項１０】
復号されている前記フレームが、単一のフィルタ条件を特定するか否か判断することと、および
復号されている前記フレームが単一のフィルタ条件を特定する場合、前記予測ステージパラメータと前記１つのブロックに関連した前記残差エラー属性とに関わりなく、
単一のフィルタ強度値を前記ブロックに割り当てることと
をさらに含むことを特徴とする請求項７に記載の方法。
【請求項１１】
前記フレームが、予測段階パラメータと残差エラー属性を有する複数ブロックを含み、
前記予測段階パラメータまたは前記残差エラー属性との少なくとも１つに基づいて、前記ブロックの各々をカテゴリに分類することと、
前記カテゴリの各々に対しフィルタ強度値を求めることと、および
前記ブロックが分類された前記カテゴリに割り当てられた前記フィルタ強度を用
いて、前記ブロックの少なくとも１つに隣接する境界をフィルタ処理することと
をさらに含むことを特徴とする請求項１に記載の方法。
【請求項１２】
前記一定のカテゴリに対しフィルタ強度値を求めることは、
少なくとも１つのフレームで特定された基準フィルタ強度値を求めることと、
前記カテゴリに関連した前記予測ステージパラメータまたは前記残差エラー属性との少なくとも１つに基づき、前記一定のカテゴリに対し１つ以上のプリセット増加値を求めることと、および
前記１つ以上のプリセット増加値を前記基準フィルタ強度値に加えることと
を含むことを特徴とする請求項１１に記載の方法。
【請求項１３】
前記予測ステージパラメータは、予測フレームタイプまたは予測モードとの少なくとも１つを含み、前記参照フレームタイプは、イントラフレーム、最終フレーム、ゴールデンフレーム、および代替参照フレームのいずれかであり、前記予測モードは、非分割モードと分割モードのいずれかであることを特徴とする請求項１１に記載の方法。
【請求項１４】
前記残差エラー属性は、ヌル動きベクトルと非ゼロ動きベクトルのいずれかであること
を特徴とする請求項１１〜１３に記載の方法。
【請求項１５】
前記カテゴリの各々に対しフィルタ強度値を割り当てることは、
前記フレームの少なくとも１つで特定された一組のフィルタ修飾子からの各カテゴ
リに対し前記フィルタ強度値を求めることをさらに含むことを特徴とする請求項１
１〜１３に記載の方法。
【請求項１６】
復号されている前記フレームが、キーフレームであるか否か判断することと、
復号されている前記フレームがキーフレームである場合、前記プリセットカテゴリの少な
くとも１つの前記フィルタ強度値をディフォルト値に設定することと、
前記復号されているフレームが、前記１つ以上のプリセットカテゴリに対して、フィルタ強度値条件を特定するか否か判断することと、
前記復号されているフレームが、前記１つ以上のプリセットカテゴリに対して、フィルタ強度値条件を特定する場合、前記１つ以上のプリセットカテゴリに対し、前記特定したフィルタ強度値を割り当てることとをさらに含むことを特徴とする請求項１５に記載の方法。
【請求項１７】
復号されている前記フレームが、単一のフィルタ条件を特定するか否か判断することと、および
復号されている前記フレームが単一のフィルタ条件を特定する場合、前記カテゴリに関わらず、単一のフィルタ強度値を前記全ブロックに割り当てることとをさらに含むことを特徴とする請求項１１〜１３に記載の方法。
【請求項１８】
各フレームが予測ステージパラメータと残差エラー属性とを有する複数のブロックを含
む、圧縮動画情報のフレームを復号する方法であって、
各ブロックに対し前記ブロック属性を求めることと、
各値が１つ以上のブロック属性に関連した、１つ以上のフィルタ属性の複数の値を求めることと、
前記ブロックのブロック属性に基づいて、特定ブロックに対し１つ以上のフィルタ属性値の１つを選択することと、および
前記選択した１つ以上のフィルタ属性値を用いて、前記特定ブロックに隣接する
前記境界をフィルタ処理することと
を含むことを特徴とする方法。
【請求項１９】
前記フィルタ属性は、フィルタタイプ、フィルタ強度、フィルタ係数、およびフィルタタップの少なくとも１つを含み、前記ブロック属性は、予測モード、参照フレームタイプ、および残差エラー属性の少なくとも１つを含むことを特徴とする請求項１８に記載の方法。
【請求項２０】
前記少なくとも１つのフィルタ属性値を決定することは、
復号されているフレームがキーフレームである場合、前記値をプリセットデフォルト値
にセットすること、および
復号されているフレームが前記値が更新されるべきであると特定している場合、前記復
号されているフレームで特定される前記値に、前記値の少なくとも１つをセットすること
の少なくとも１つをさらに含むことを特徴とする請求項１８または１９に記載の方法。